(57)【要約】      （修正有）【課題】電子レンジを利用しての炊飯時における茶碗内部の蒸気圧力を茶碗に特殊な調圧弁体を設けることなく調整し得て、電子レンジで茶碗一杯分の御飯を炊くことができ、しかも、茶碗に御飯を盛る手間も省けて、そのまま食べることのできる電子レンジ用炊飯茶碗を提供する。【解決手段】電子レンジを利用して炊飯を行う場合に使用され炊飯器を兼ねる茶碗であって、陶磁器製茶碗２と、陶磁器製茶碗の上面開口周縁の内側に嵌合係止される少し重たい陶磁器製中蓋３と、陶磁器製中蓋の上方の陶磁器製茶碗の上面開口周縁に嵌合係止される少し重たい陶磁器製外蓋４とから構成し、陶磁器製茶碗２の甲台２１の環状の側周面に複数の通気部２２を形成し、陶磁器製中蓋３の内面側に中央山部３１、谷部３２、周辺山部３３を形成し、陶磁器製中蓋３及び陶磁器製外蓋４にそれぞれ通気孔３６、４３を形成した。【選択図】図１
0003117163.tif 000002
【実用新案登録請求の範囲】
【請求項１】
電子レンジを利用して炊飯を行う場合に使用され炊飯器を兼ねる茶碗であって、内部側に炊きあがりの御飯ができる陶磁器製茶碗と、陶磁器製茶碗の上面開口周縁の内側に嵌合係止される少し重たい陶磁器製中蓋と、陶磁器製中蓋の上方の陶磁器製茶碗の上面開口周縁に嵌合係止される少し重たい陶磁器製外蓋とから構成し、上記陶磁器製茶碗の甲台の環状の側周面に複数の通気部を形成し、上記陶磁器製中蓋の内面側に、中央部が上向きに凸状の山形断面の中央山部を形成し、中央山部の外周囲側に下向きに凸状の谷形断面の谷部を円周方向に形成し、谷部の外周囲側に上向きに凸状の山形断面の周辺山部を円周方向に形成し、上記陶磁器製中蓋及び陶磁器製外蓋にそれぞれ通気孔を形成したことを特徴とする電子レンジ用炊飯茶碗。
【考案の詳細な説明】
【技術分野】
【０００１】
この考案は、電子レンジを利用して炊飯を行う炊飯茶碗に係り、特に、茶碗が炊飯器を兼用しており、炊飯器から茶碗にご飯を盛る手間を省けて茶碗一杯分の御飯がそのまま食べられる電子レンジ用炊飯茶碗に関するものである。
【背景技術】
【０００２】
従来、炊飯器或いは炊飯茶碗の中に洗米と水とをいれ、これを電子レンジを利用して炊飯を行う電子レンジ用炊飯器や電子レンジ用炊飯茶碗が知られている。
【特許文献１】特開平６−１４１９６９
【特許文献２】実開平４−２１３１９
【考案の開示】
【考案が解決しようとする課題】
【０００３】
しかしながら、前記の特開平６−１４１９６９の電子レンジ使用の炊飯器にあっては、例えば一合炊きであり、電子レンジで御飯を炊いた後、炊飯器で御飯を直接食べるのは行儀が悪いとの思いが一般にあるため、炊飯器から茶碗に御飯を盛る手間が必要となり、単に、電気釜の代わりに過ぎない。
【０００４】
これに対して、前記の実開平４−２１３１９の電子レンジ用炊飯茶碗にあっては、電子レンジで茶碗一杯分の御飯を炊くことができ、しかも、茶碗に御飯を盛る手間も省けて、そのまま食べることができる利点を有している。
しかし、この電子レンジ用炊飯茶碗は、陶磁器製の茶碗の内側に係合する陶磁器製の蓋を備えており、この陶磁器製の蓋にはその糸底内側に貫通孔が穿設され、この貫通孔の上方に特殊な調圧弁体が配設されていて、調圧弁体を利用して炊飯時における茶碗内部の蒸気圧力を調整する構造になっており、特殊な調圧弁体を必要としている。また、食後に茶碗を洗う場合、この調圧弁体を茶碗の蓋から取り外して洗うことが必要と考えられ、面倒であると推測される。更に、この調圧弁体は陶磁器製の茶碗に対して違和感がある。
【０００５】
この考案は、上記のような課題に鑑み、その課題を解決すべく創案されたものであって、その目的とするところは、電子レンジを利用しての炊飯時における茶碗内部の蒸気圧力を茶碗に特殊な調圧弁体を設けることなく調整し得て、電子レンジで茶碗一杯分の御飯を炊くことができ、しかも、茶碗に御飯を盛る手間も省けて、そのまま食べることのできる電子レンジ用炊飯茶碗を提供することにある。
【課題を解決するための手段】
【０００６】
以上の目的を達成するために、この考案は、電子レンジを利用して炊飯を行う場合に使用され炊飯器を兼ねる茶碗であって、内部側に炊きあがりの御飯ができる陶磁器製茶碗と、陶磁器製茶碗の上面開口周縁の内側に嵌合係止される陶磁器製中蓋と、陶磁器製中蓋の上方の陶磁器製茶碗の上面開口周縁に嵌合係止される陶磁器製外蓋とから構成し、上記陶磁器製茶碗の甲台の環状の側周面に複数の通気部を形成し、上記陶磁器製中蓋の内面側に、中央部が上向きに凸状の山形断面の中央山部を形成し、中央山部の外周囲側に下向きに凸状の谷形断面の谷部を円周方向に形成し、谷部の外周囲側に上向きに凸状の山形断面の周辺山部を円周方向に形成し、上記陶磁器製中蓋及び陶磁器製外蓋にそれぞれ通気孔を形成した手段よりなるものである。
【考案の効果】
【０００７】
以上の記載より明らかなように、この考案に係る電子レンジ用炊飯茶碗によれば、陶磁器製中蓋と陶磁器製外蓋の二重構造にし、また、陶磁器製茶碗の甲台に通気部を形成し、更に、陶磁器製中蓋の内面側に中央山部、その周囲に谷部、更にその外周囲に周辺山部をそれぞれ形成したことにより、電子レンジを利用しての炊飯時における茶碗内部の蒸気圧力を茶碗に特殊な調圧弁体を設けることなく調整し得て、電子レンジで茶碗一杯分の御飯を炊くことができ、しかも、茶碗に御飯を盛る手間も省けて、そのまま食べることができる。また、甲台の側周面に形成した通気部は、電子レンジによる加熱中に甲台の内部が密閉状態となるのを防ぐと共に食器を洗ってねかせた場合に、甲台の内部に水が溜まるのを防ぐという機能もある等、極めて実用的有益なる効果を奏するものである。
【考案を実施するための最良の形態】
【０００８】
以下、図面に記載の考案を実施するための最良の形態に基づいて、この考案をより具体的に説明する。
ここで、図１は電子レンジ用炊飯茶碗の断面図、図２は電子レンジ用炊飯茶碗の側面図、図３は電子レンジ用炊飯茶碗の底面図、図４は電子レンジ用炊飯茶碗の平面図、図５は電子レンジ用炊飯茶碗の斜視図、図６は電子レンジ用炊飯茶碗の陶磁器製外蓋を取ったときの斜視図である。
【０００９】
図において、電子レンジ用炊飯茶碗１は、電子レンジを利用して炊飯を行うことができ、茶碗が炊飯器を兼用しており、炊飯器から茶碗にご飯を盛る手間を省けて茶碗一杯分の御飯がそのまま食べられる特徴を備えており、内部側に炊きあがりの御飯ができる陶磁器製茶碗２、陶磁器製茶碗２の上面開口周縁の内側に嵌合係止される陶磁器製中蓋３、陶磁器製中蓋３の上方の陶磁器製茶碗２の上面開口周縁に嵌合係止される陶磁器製外蓋４とから構成される。
【００１０】
陶磁器製茶碗２は、電子レンジによる炊飯時にはその内側に炊き立ての御飯ができあがる部分であり、釜から炊き立ての御飯を盛ったときと同じような状態になり、炊飯器としてのイメージがなく、そのまま食べても炊飯器で食べているとの違和感を生じさせることがない。
【００１１】
即ち、陶磁器製茶碗２は、御飯を食べるときに一般的に使用される陶磁器製の茶碗と同様な材質の陶磁器製からなり、又その陶磁器製茶碗２の外形も、御飯を食べるときに一般的に使用される陶磁器製の茶碗と全く遜色がなく、一般的に使用される陶磁器製の茶碗と全く同じ感触で御飯を食べることができる。
【００１２】
陶磁器製茶碗２の下端側の中央には、一般的な茶碗と同様に環状の甲台２１が形成されている。環状の甲台２１の側周面の一部には、電子レンジ内のテーブル表面に陶磁器製茶碗２を置いたとき、密閉状態になる甲台２１の内部とその外部との通気を図る複数の通気部２２が例えば３箇所に形成されている。例えば３箇所に形成された通気部２２は甲台２１の円周方向に等間隔の配置となっている。
【００１３】
様々な実験によると、環状の甲台２１の側周面の一部に通気部２２を形成しないと、電子レンジを使用して御飯を炊く場合に上手く炊けないことがわかったためである。つまり、電子レンジ内に陶磁器製茶碗２に置くと、甲台２１の内部は密閉状態となり、甲台２１の内部とその外部で温度差が生じ、これが陶磁器製茶碗２の内部で電子レンジにより加熱される米の炊きあがりに影響があると考えられる。
【００１４】
甲台２１に形成された通気部２２は、図面では切欠溝の形状になっているが、切欠溝の形状に限定されるものではなく、甲台２１の側周面に孔を穿孔するものでもよく、要は陶磁器製茶碗２を電子レンジ内のテーブル表面に置いたとき、甲台２１の内部とその外部との通気が図られて、甲台２１の内部が密閉状態になるのを防ぐものであればその形状には特定されない。
【００１５】
陶磁器製茶碗２の内周面には、御飯を炊く場合の米を入れる目安となる米量目盛り線２３が円周方向に形成され、又御飯を炊く場合の水を入れる目安となる水量目盛り線２４が米量目盛り線２３の上側に円周方向に形成されている。これらの米量目盛り線２３及び水量目盛り線２４を利用することで、米の量や水の量を間違えることなく、電子レンジを利用して御飯をたくことができる。
【００１６】
陶磁器製中蓋３及び陶磁器製外蓋４は、電子レンジで御飯を炊きあげる途中で生じる吹きこぼれを防いで、御飯がおいしく炊けるようにするものである。様々な実験によると、調圧弁体のような特殊な構造を用いない場合には、陶磁器製中蓋３と陶磁器製外蓋４の二重構造にしないとおいしく御飯を炊けないことがわかったためである。また、陶磁器製中蓋３及び陶磁器製外蓋４は、吹きこぼれを防ぐために少し重たくなっている。
【００１７】
陶磁器製中蓋３はその内面側が、中央部が上向きに凸状の山形断面の中央山部３１に形成され、中央山部３１の外周囲側には下向きに凸状の谷形断面の谷部３２が円周方向に形成され、谷部３２の外周囲側には上向きに凸状の山形断面の周辺山部３３が円周方向に形成されている。周辺山部３３の円形な周縁３４は谷部３２よりも低く形成されている。
【００１８】
このように、陶磁器製中蓋３は、中央山部３１と周辺山部３３との間に谷部３２が形成されることにより、電子レンジによる加熱時に、中央山部３１とその周囲の周辺山部３３に対流を生じさせることができ、この両対流現象を通じてまろやかな御飯を炊きあげることが可能となる。
【００１９】
陶磁器製中蓋３の周縁３４の外径は、陶磁器製茶碗２の上面開口周縁の内径より少し小さくなっていて、陶磁器製中蓋３を陶磁器製茶碗２に被せたとき、陶磁器製中蓋３の周縁３４が陶磁器製茶碗２の上面開口周縁の内側に嵌合係止される構造になっている。
【００２０】
陶磁器製中蓋３はその中央外面に把手３５が形成されている。把手３５は陶磁器製中蓋３を陶磁器製茶碗２から取ったり、陶磁器製茶碗２に取り付ける場合に指で摘まれるが、指で摘む場合に滑りにくいように、把手３５には釉薬が塗布されてない。
【００２１】
陶磁器製中蓋３の周辺山部３３の頂部には、通気孔３６が２箇所に穿設されている。通気孔３６は例えば１８０度の間隔で形成されている。通気孔３６は電子レンジによる加熱時に陶磁器製茶碗２の内部の圧力が高くなり過ぎるのを防ぐものである。
【００２２】
陶磁器製外蓋４は陶磁器製中蓋３の上方に被せられるもので、陶磁器製外蓋４の周縁４１の外径は、陶磁器製茶碗２の上面開口周縁の外径と略同一であり、陶磁器製外蓋４を陶磁器製茶碗２に被せたとき、陶磁器製外蓋４が陶磁器製中蓋３に載らないような状態で陶磁器製外蓋４の周縁４１が陶磁器製茶碗２の上面開口周縁に嵌合係止される構造になっている。
【００２３】
陶磁器製外蓋４は周縁４１側からその中央に向けて上向きに凸状の山形形状に形成されていて、陶磁器製茶碗２に被せる場合に、既に被せられている陶磁器製中蓋３に当たらない構造になっている。
【００２４】
陶磁器製外蓋４はその中央外面に把手４２が形成されている。把手４２は陶磁器製外蓋４を陶磁器製茶碗２から取ったり、陶磁器製茶碗２に取り付ける場合に指で摘まれるが、指で摘む場合に滑りにくいように、把手４２には釉薬が塗布されてない。
【００２５】
陶磁器製外蓋４の把手４２の中央には、通気孔４３が穿設されている。通気孔４３は電子レンジによる加熱時に陶磁器製茶碗２の内部の圧力が高くなり過ぎるのを防ぐものである。
【００２６】
次に、上記考案を実施するための最良の形態の構成に基づく使用方法について以下説明する。
洗った米或いは無洗米の例えば100ｇを陶磁器製茶碗２の内部に入れる。前記したように陶磁器製茶碗２の内周面には米量目盛り線２３が形成されており、この米量目盛り線２３を基準にして米を入れると、例えば略100ｇの米が陶磁器製茶碗２内に入る。
【００２７】
続いて、水を例えば140ccを陶磁器製茶碗２の内部に入れる。前記したように陶磁器製茶碗２の内周面には水量目盛り線２４が形成されており、この水量目盛り線２４を基準にして水を入れると、例えば略140ccの水が陶磁器製茶碗２内に入る。
【００２８】
電子レンジで加熱する前に、通常の電気釜で御飯を炊く場合と同様に、10分以上、米を水に漬けておく。米に水を十分にしみ込ませるためである。このようにすると、御飯がおいしく炊ける。
【００２９】
その後、電子レンジの例えば200Ｗの弱で15分加熱する。加熱した後、２〜３分程蒸かして御飯を食べる。
【００３０】
炊いた御飯を茶碗に盛ることなく、御飯を炊いた陶磁器製茶碗２でそのまま食べることができ、しかも、その際に違和感もなく、炊き立ての御飯をおいしく食べることができる。また、御飯の量も多すぎることもなく、丁度一人で食べるに適する量であり、残りを保存することもなく、常に一人分の量の炊き立ての御飯を好きなときにいつでも食べることができる。
【００３１】
なお、この考案は上記考案を実施するための最良の形態に限定されるものではなく、この考案の精神を逸脱しない範囲で種々の改変をなし得ることは勿論である。
【図面の簡単な説明】
【００３２】
【図１】この考案を実施するための最良の形態を示す電子レンジ用炊飯茶碗の断面図である。
【図２】この考案を実施するための最良の形態を示す電子レンジ用炊飯茶碗の側面図である。
【図３】この考案を実施するための最良の形態を示す電子レンジ用炊飯茶碗の底面図である。
【図４】この考案を実施するための最良の形態を示す電子レンジ用炊飯茶碗の平面図である。
【図５】この考案を実施するための最良の形態を示す電子レンジ用炊飯茶碗の斜視図である。
【図６】この考案を実施するための最良の形態を示す電子レンジ用炊飯茶碗の陶磁器製外蓋を取ったときの斜視図である。
【符号の説明】
【００３３】
１    電子レンジ用炊飯茶碗
２    陶磁器製茶碗
２１    甲台
２２    通気部
２３    米量目盛り線
２４    水量目盛り線
３    陶磁器製中蓋
３１    中央山部
３２    谷部
３３    周辺山部
３４    周縁
３５    把手
３６    通気孔
４    陶磁器製外蓋
４１    周縁
４２    把手
４３    通気孔
【図１】
0003117163.tif 000003
【図２】
0003117163.tif 000004
【図３】
0003117163.tif 000005
【図４】
0003117163.tif 000006
【図５】
0003117163.tif 000007
【図６】
0003117163.tif 000008